(57)【要約】      （修正有）【課題】擁壁・花壇等の既存のブロックやレンガ等による任意の固定部材に簡単且つ堅固に取り付けることができるのぼり旗の取付具を提供する。【解決手段】のぼり旗の旗竿Ｐを任意の固定部材Ｑを介して立てておくために使用するのぼり旗の取付具１を、当該固定部材Ｑ上面の任意箇所を挟持して固定するコ字枠状の固定部２と、該固定部２の上面に一体立設した旗竿挿入部３とによって構成する。また、固定部２は、コ字枠の一方の側面もしくは両側面に単数もしくは複数のネジ孔を有し、該ネジ孔にネジ５をねじ込むことで当該固定部２を固定部材Ｑに固定する。旗竿挿入部３は、固定部２に穿設した水抜き用の貫通孔を囲繞するようにして当該固定部２に一体立設する。【選択図】図１
2009025469.tif 000002
【特許請求の範囲】
【請求項１】
のぼり旗の旗竿を任意の固定部材に立てておくために使用するのぼり旗の取付具であって、該取付具は、当該固定部材上面の任意箇所を挟持して固定されるコ字枠状の固定部と、該固定部の上面に一体立設した旗竿挿入部とを備えてなることを特徴とするのぼり旗の取付具。
【請求項２】
固定部は、コ字枠の一方の側面もしくは両側面に単数もしくは複数のネジ孔を有し、該ネジ孔にネジをねじ込むことで当該固定部が任意の固定部材に固定されるものとした請求項１記載ののぼり旗の取付具。
【請求項３】
旗竿挿入部は、固定部上面の中央、前後片側、左右片側のいずれかに形成されている請求項１または２記載ののぼり旗の取付具。
【請求項４】
旗竿挿入部は、固定部に穿設されている水抜き用の貫通孔を囲繞するようにして当該固定部に一体立設されている請求項１乃至３のいずれか記載ののぼり旗の取付具。
【発明の詳細な説明】
【技術分野】
【０００１】
本発明は、例えば自動車販売店、不動産販売店、ファミレス、その他の様々な販売店・商店等において、のぼり旗の旗竿を所定の場所に立てておくために使用するのぼり旗の取付具に関する。
【背景技術】
【０００２】
従来から、この種の取付具としては、図５に示すように、のぼり旗の旗竿Ｐを所定の場所に立てておくための固定部材として例えばコンクリート製の専用ブロック１００を使用していたものがある。この専用ブロック１００は、全体が略矩形ブロック状に形成されており、中央には穴部１０１が設けられている。この穴部１０１は、専用ブロック１００製作時において、型枠内に打設されたコンクリートの養生前に予め凹設形成されるか、あるいは養生後にドリル等でもって掘削形成される。そして、この穴部１０１内に直接、あるいは穴部１０１内に嵌着した筒状の金具等を介してのぼり旗の旗竿Ｐが挿入される。
【特許文献１】特になし
【発明の開示】
【発明が解決しようとする課題】
【０００３】
しかしながら、従来においては、のぼり旗の旗竿Ｐ毎にコンクリート製の専用ブロック１００を個々に製作することから、製作コストが嵩むものとなり、しかも専用ブロック１００自体は大型であるため、設置場所に無駄な占有スペースが取られてしまう。また、この専用ブロック１００を使用する替わりに、固定部材として例えば擁壁・花壇等の既存のブロックやレンガを使用しても、これに旗竿Ｐを取り付けることは困難であるという問題点を有していた。
【０００４】
そこで、本発明は、叙上のような従来存した諸事情に鑑み案出されたもので、例えば擁壁・花壇等の既存のブロックやレンガ等による固定部材に簡単且つ堅固に取り付けることができ、また製作コストが低減され、且つ設置場所に無駄な占有スペースが取られずに済むのぼり旗の取付具を提供することを目的とする。
【課題を解決するための手段】
【０００５】
上述した課題を解決するため、本発明にあっては、のぼり旗の旗竿を任意の固定部材に立てておくために使用するのぼり旗の取付具であって、該取付具は、当該上面の任意箇所を挟持して固定されるコ字枠状の固定部と、該固定部の上面に一体立設した旗竿挿入部とを備えてなることを特徴とする。
【０００６】
また、固定部は、コ字枠の一方の側面もしくは両側面に単数もしくは複数のネジ孔を有し、該ネジ孔にネジをねじ込むことで当該固定部が固定部材に固定されるものとしてある。
【０００７】
旗竿挿入部は、固定部上面の中央、前後片側、左右片側のいずれかに形成されている。
【０００８】
旗竿挿入部は、固定部に穿設されている水抜き用の貫通孔を囲繞するようにして当該固定部に一体立設されている。
【発明の効果】
【０００９】
本発明によれば、例えば擁壁・花壇等の既存のブロックやレンガ等の任意の固定部材に簡単且つ堅固に取り付けることができ、また製作コストが低減され、且つ設置場所に無駄な占有スペースが取られずに済むものとなる。
【００１０】
すなわち、本発明は、固定部材上面の任意箇所を挟持して固定されるコ字枠状の固定部と、該固定部の上面に一体立設した旗竿挿入部とを備えているので、既存のブロックやレンガ等任意の固定部材に簡単且つ堅固に取り付けることができる。また、既存のブロックやレンガ等任意の固定部材を使用するため、コストが掛からず、しかも設置場所に無駄な占有スペースが取られずに済む。
【００１１】
また、固定部は、コ字枠の一方の側面もしくは両側面に単数もしくは複数のネジ孔を有し、該ネジ孔にネジをねじ込むことで当該固定部が任意の固定部材に固定されるものとしたので、固定部材に対する固定部の着脱が容易且つ短時間に行えると共に、幅員の異なる種々の固定部材でも容易に固定部を固定させることができる。
【００１２】
旗竿挿入部は、固定部上面の中央、前後片側、左右片側のいずれかに形成されているので、のぼり旗の用途や設置箇所等に十分に対応させることができる。
【００１３】
旗竿挿入部は、固定部に穿設されている水抜き用の貫通孔を囲繞するようにして当該固定部に一体立設されているので、旗竿挿入部の内底部に雨水が溜まらず、旗竿の錆等による損傷を未然に防止することができる。
【発明を実施するための最良の形態】
【００１４】
以下、図面を参照して本発明を実施するための最良の一形態を説明する。
【００１５】
本発明に係る取付具１は、図１に示すように、旗地１１の一側縁及び上端縁にそれぞれ複数のループ状のチチ１２が取り付けられ、旗地１１の一側縁に配設されたチチ１２に旗竿Ｐを挿通させ、旗地１１の上端縁に配設されたチチ１２に横竿１３を挿通させてなるのぼり旗の旗竿Ｐを、既存のブロックやレンガ等の任意の固定部材Ｑの上面に取り付けるためのものであり、当該固定部材Ｑの上面の任意箇所を挟持して固定されるよう、例えば金属製もしくは硬質の合成樹脂製等による帯板材をコ字枠状に折曲してなる固定部２と、該固定部２の上面の例えば片側寄りに一体立設した円筒状の旗竿挿入部３とから構成されている。
【００１６】
この固定部２は、図２および図３に示すように、コ字枠の一方の側面もしくは両側面において、例えば左右対称箇所にネジ孔４を形成してあり、該ネジ孔４には、予め蝶ネジ等のネジ５を浅めにねじ込み装着してある。そして、このネジ５をネジ孔４反対側から貫挿させるようにしてねじ込むことで固定部２のコ字枠内に挿入されている固定部材Ｑに固定させるものとしてある。
【００１７】
また、取付具１は、図４に示すように、固定部２の上面において、旗竿挿入部３を中央に形成し、且つコ字枠の両側面に形成したネジ孔４に同時にネジ５をねじ込んでおいてもよい。あるいは、固定部２の上面において、前後片側、左右片側のいずれかに旗竿挿入部３が形成されていても良い。使用に際し、これら種々の取付具１を予め用意しておき、のぼり旗の用途や設置箇所等に応じて適宜選択して使用される。
【００１８】
さらに、固定部２には水抜き用の例えばクロス状の貫通孔６が穿設され、該貫通孔６を囲繞するようにして旗竿挿入部３が当該固定部２に一体立設されている。
【００１９】
次に、以上のように構成された最良の形態についての組立、使用、動作の一例について説明する。
【００２０】
本形態における取付具１は、様々な販売店・商店等の位置する歩道や道路等の縁側にコンクリートブロックやレンガ、あるいは塀等の固定部材Ｑを介して、のぼり旗の旗竿Ｐを立てておくために使用される。また、道路に面した縁側に設置されている花壇等のブロックやレンガに、のぼり旗の旗竿を立てておくためにも使用される。要は、のぼり旗を立てることが必要な場所で、且つコ字枠状の固定部２のコ字枠内に装着できるようなものであれば固定部材Ｑの用途、形状、素材等は問わない。
【００２１】
先ず、図２に示すように、既存のブロックやレンガ等の固定部材Ｑを横向きに立てておき、この上面の任意箇所に取付具１を、固定部２を介して装着する。このとき、固定部２のコ字枠内に当該固定部材Ｑの上面が挿入配置される。
【００２２】
そして、図３に示すように、ネジ孔４に予め装着してある蝶ネジ等のネジ５を当該ネジ孔４反対側から貫挿させるようにしてねじ込むことで固定部２のコ字枠内に挿入されている固定部材Ｑに当該固定部２を固定する。
【００２３】
このとき、固定部２のコ字枠内に挿入される固定部材Ｑの幅員が狭い場合には、固定部２のコ字枠両側面のネジ孔４に同時にネジ５をねじ込むことで、取付具１は固定部材Ｑに対して両側からしっかりと固定されるものとなる（図４参照）。
【００２４】
そして、旗竿挿入部３の上側開口部に旗竿Ｐの下端を挿入する。このとき、旗竿Ｐの下端が旗竿挿入部３の内底部に係止されている際には、貫通孔６を介して旗竿挿入部３は外部と連通している状態となり、これによって、旗竿挿入部３の内底部に雨水が溜まらないのである。
【図面の簡単な説明】
【００２５】
【図１】本発明を実施するための最良の形態における取付具の使用状態を示す斜視図である。
【図２】同じく取付具を介して固定部材に旗竿を取り付ける手順を説明するための分解斜視図である。
【図３】同じく取付具を介して固定部材に旗竿を取り付けた状態の縦断面図である。
【図４】他の構成例による取付具を介して固定部材に旗竿を取り付けた状態の縦断面図である
【図５】従来例における専用ブロックを使っての旗竿の設置状態を示す斜視図である。
【符号の説明】
【００２６】
Ｐ    旗竿
Ｑ    固定部材
１    取付具
２    固定部
３    旗竿挿入部
４    ネジ孔
５    ネジ
６    貫通孔
１１  旗地
１２  チチ
１３  横竿
【図１】
2009025469.tif 000003
【図２】
2009025469.tif 000004
【図３】
2009025469.tif 000005
【図４】
2009025469.tif 000006
【図５】
2009025469.tif 000007